(57)【要約】      （修正有）【課題】従来の藁の草履を鉋屑のみ使用して足に心地よく履きやすい草履にした。【解決手段】混ざりけのない桧材のみを使用し出て来た鉋屑を選別し縦縄と横に編み込む材料を選んで長さを考えて編み上げる。鉋屑は２ｍ〜３ｍの桧材を使って縦の締め込む縄を造る。又、引張って切れるものは全く使用しない。又、横に編む材料は引張って切れるようなもの、短いもので少し太くしてクッション性を持たせたり布を間に巻いて丈夫さを出したり工夫次第でその場所に合わせた太さに仕上げて使用する。【選択図】図１
0003137283.tif 000002
【実用新案登録請求の範囲】
【請求項１】
超仕上加工鉋機より引出された桧の鉋屑のみを使用した草履。
（以後の頁で鉋屑とは超仕上加工鉋機の桧の鉋屑です）
【請求項２】
鼻緒式は草履の前鼻緒を最初に横に編む部分を使って作り、後の鼻緒と共に使ってサイズを調整する。又、突掛式（図２ａ）の場合は図の前と後の鼻緒を使ってサイズを調整する。
【考案の詳細な説明】
【技術分野】
【０００１】  従来の藁の草履を鉋屑の桧材のみを使用して縦縄と横に編み込む材料を選んでサイズを合わせて草履に仕上げました。
【背景技術】
【０００２】  近年、超仕上加工鉋機が出来、今までにない鉋屑が出来た。
【考案の開示】
【０００３】  藁が非常に入手困難で、昔のように長いものが殆んどない。桧の鉋屑の中、２ｍ〜３ｍの引張って切れないもで縦縄にし、横に編み込む部分は最初に前鼻緒の部分を作り、それに続いて後ろの方になる部分を太さや長さ固さを考えて適当に作る。又、ハギレを巻いておき足の大きさに合わせて編み上げ縦縄を引張って締めつけて足の大きさに合わせた草履にする。
【考案の効果】
【０００４】  水分に対して非常に吸収が良く滑りにくいので渓谷登山のワラジの代わりにもなる。
【図面の簡単な説明】
【０００５】
【図１】  鼻緒式
【図２】  突掛式
【符号の説明】
１ａ  足の指が出ない位置になるように前鼻緒は先を２つい分けてトンボ形に結ぶ。
１ｂ  前鼻緒を前に折り曲げて糸で結び止めた後、先の方を切り取る。
１ｃ  １ａで指が出る場合は前鼻緒を後に折り曲げて糸で結び止めた後、先の方を切り取る。
２ａ  前後にずらせて、前後の鼻緒の間を足に合わせて縫いつける。
【図１】
0003137283.tif 000003
【図２】
0003137283.tif 000004
【手続補正書】
【提出日】平成18年12月21日(2006.12.21)
【手続補正１】
【補正対象書類名】実用新案登録請求の範囲
【補正対象項目名】全文
【補正方法】変更
【補正の内容】
【実用新案登録請求の範囲】
【請求項１】
草履の鼻緒の部分を鼻緒式の他、突掛式やクロス式に変え、素材を超仕上加工鉋機より引出された桧の鉋屑を使用したことを特徴とする草履。
【手続補正２】
【補正対象書類名】明細書
【補正対象項目名】全文
【補正方法】変更
【補正の内容】
【考案の詳細な説明】
【技術分野】
【０００１】本考案は、素材を超仕上加工鉋機より引出された桧材の鉋屑を用いて縄状にし、編み込んだ草履である。
【背景技術】
【０００２】藁が非常に入手困難で、昔のように長いものが殆んどない。
【考案の開示】
【０００３】布やビニール紐を用いたものもあるが近年、超仕上加工鉋機が出来、今までにない良質の鉋屑が出来ることで桧を使った天然素材の草履を作ることが出来た。
【考案の効果】
【０００４】水分に対して非常に吸収が良く、日常で使用しても夏は特に汗臭くなく使用できる。断熱が良いので冬でも床からの冷気が伝わらないので暖かく使用できる。又、滑りにくいので渓谷登山のワラジの代わりにもなる。
【考案を実施するための最良の形態】
【０００５】長さ２ｍ〜３ｍの桧の鉋屑で引張って切れないもを縦縄にし、横に編み込む部分は最初に前鼻緒の部分を作り、それに続いて後ろの方になる部分を太さや長さ固さを考えて適当に作る。又、ハギレを巻いて足の大きさに合わせて編み上げ縦縄を引張って締めつけ、足の大きさに合わせた草履にする。足の甲の部分は鼻緒式、突掛式、クロス式等にアレンジできる。
【図面の簡単な説明】
【０００５】
【図１】鼻緒式
【図２】突掛式
【図３】クロス式
【符号の説明】
１ａ  足の指が出ない位置になるように前鼻緒は先を２つに分けてトンボ形に結ぶ。
１ｂ  前鼻緒を前に折り曲げて糸で結び止めた後、先の方を切り取る。
１ｃ  指が出る場合は前鼻緒を後に折り曲げて糸で結び止めた後、先の方を切り取る。
２ａ  前後の鼻緒のｃ点とｄ点の間を前後にずらせて、巾広の布で前後の鼻緒を調整し、足に合わせて縫いつける。
３ａ  鉋屑は２ｍ以上あるので、より合わせた１本の縦縄で草履の形に締めて、残った縄を使ってクロス状の鼻緒を作る。
ａ→ｂ−ｃ→ｄ→ｅ→ｆ→ｇ→ｈ→ｉ→ｊ→ｋ→ｌ→ｍ→ｎ→ｏの順に編上げる。
【手続補正３】
【補正対象書類名】図面
【補正対象項目名】全図
【補正方法】変更
【補正の内容】
【図１】
0003137283.tif 000005
【図２】
0003137283.tif 000006
【図３】
0003137283.tif 000007
【手続補正書】
【提出日】平成19年4月23日(2007.4.23)
【手続補正１】
【補正対象書類名】明細書
【補正の内容】
0003137283.tif 000008
0003137283.tif 000009
0003137283.tif 000010
0003137283.tif 000011
0003137283.tif 000012
0003137283.tif 000013
0003137283.tif 000014
【手続補正書】
【提出日】平成19年8月18日(2007.8.18)
【手続補正１】
【補正対象書類名】実用新案登録請求の範囲
【補正対象項目名】全文
【補正方法】変更
【補正の内容】
【実用新案登録請求の範囲】
【請求項１】
草履の鼻緒の部分を足の親指と人指し指の間で分けた鼻緒式、甲の部分に２本の縄を平行に渡した突掛式、甲の部分に２本の縄をクロス形に渡したクロス式にアレンジし、素材を超仕上加工鉋機より引出された桧の鉋屑を本体全体に使用したことを特徴とする草履。
【手続補正２】
【補正対象書類名】手続補正書
【補正対象項目名】手続補正２
【補正方法】変更
【補正の内容】
【手続補正２】
【補正対象書類名】明細書
【補正対象項目名】０００５
【補正方法】変更
【補正の内容】
【０００５】  長さ２ｍ〜３ｍの桧の鉋屑で引張って切れないものを縦縄にし、横に編み込む部分は長さ２ｍ〜３ｍの桧の鉋屑を芯にして最初に前鼻緒の部分を作り、それに続いて足裏になる部分を太さや長さ固さを考え適当にハギレを巻いて足の大きさに合わせて編み上げ縦縄を引張って締めつけて足の大きさに合わせた草履にする。足の甲の部分は鼻緒式、突掛式、クロス式等にアレンジできる。


【手続補正３】
【補正対象書類名】手続補正書
【補正対象項目名】手続補正３
【補正方法】変更
【補正の内容】
【手続補正３】
【補正対象書類名】明細書
【補正対象項目名】０００６
【補正方法】変更
【補正の内容】
【０００６】
【図１】  鼻緒式
【図２】  突掛式
【図３】  クロス式
【符号の説明】
１ａ  足の指が出ない位置になるように前鼻緒は先を２つい分けてトンボ形に結ぶ。
１ｂ  前鼻緒を前に折り曲げて糸で結び止めた後、先の方を切り取る。
１ｃ  指が出る場合は前鼻緒を後に折り曲げて糸で結び止めた後、先の方を切り取る。
２ａ  前後の鼻緒のｃ点とｄ点の間を前後にずらせて、巾広の布で前後の鼻緒を調整し、足に合わせて縫いつける。
３ａ  鉋屑は２ｍ以上あるので、より合わせた１本の縦縄で草履の形に締めて、残った縄を使ってクロス状の鼻緒を作る。
ａ→ｂ→ｃ→ｄ→ｅ→ｆ→ｇ→ｈ→ｉ→ｊ→ｋ→ｌ→ｍ→ｎ→ｏの順に編上げる。


【手続補正４】
【補正対象書類名】手続補正書
【補正対象項目名】手続補正４
【補正方法】変更
【補正の内容】
【手続補正４】
【補正対象書類名】図面
【補正対象項目名】全図
【補正方法】変更
【補正の内容】
【図１】
0003137283.tif 000015
【図２】
0003137283.tif 000016
【図３】
0003137283.tif 000017